【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
インクを吐出する記録ヘッドを備え所定の方向に移動可能なヘッドユニットと、
前記ヘッドユニットに記録実行のためのデータ信号を送る、可撓性を有するデータ線と
、
インク収容部から送られるインクを前記記録ヘッドへと導き、前記ヘッドユニットの前
記移動に伴って追従変形する変形可動部を有するインクチューブと、
前記記録ヘッドにより記録が行われた被記録媒体が排出される領域を含む排出口と、を
備え、
前記排出口が設けられた側を装置の前方側としたとき、
前記データ線は、前記ヘッドユニットに対して後方側に配設され、
前記インクチューブは、前記ヘッドユニットに対して前方側に配設され、該装置の前
面から装置外部に出る部分を有する、
ことを特徴とするインクジェット記録装置。
【請求項２】
インクを吐出する記録ヘッドを備え所定の方向に移動可能なヘッドユニットと、
前記ヘッドユニットに記録実行のためのデータ信号を送る、可撓性を有するデータ線と
、
インク収容部から送られるインクを前記記録ヘッドへと導き、前記ヘッドユニットの前
記移動に伴って追従変形する変形可動部を有するインクチューブと、
前記記録ヘッドにより記録が行われた被記録媒体が排出される領域を含む排出口と、を
備え、
前記排出口が設けられた側を装置の前方側としたとき、
前記データ線は、前記ヘッドユニットに対して前方側に配設され、
前記インクチューブは、前記ヘッドユニットに対して前方側に配設され、該装置の前
面から装置外部に出る部分を有する、
ことを特徴とするインクジェット記録装置。
【請求項３】
請求項１または２に記載のインクジェット記録装置において、
前記排出口は、被記録媒体の排出領域と、該排出領域以外の空間部を備える、
ことを特徴とするインクジェット記録装置。
【請求項４】
請求項１から請求項３のいずれか一項に記載のインクジェット記録装置において、
前記インクチューブが、前記排出口から装置外部に出る、
ことを特徴とするインクジェット記録装置。
【請求項５】
請求項１から請求項３のいずれか一項に記載のインクジェット記録装置において、
該インクジェット記録装置の外装を構成するハウジングと、
前記装置の前面に、該装置の操作部を構成するパネルユニットが設けられ、
前記インクチューブが、前記パネルユニットと前記ハウジングとの隙間を通って装置外
部に出る、
ことを特徴とするインクジェット記録装置。
【請求項６】
請求項５に記載のインクジェット記録装置において、
前記パネルユニットの後面側に前記インクチューブの一部に接して支持するチューブ支
持部材が在り、
前記インクチューブは、前記チューブ支持部材に支持されて前記装置外方に出る、
ことを特徴とするインクジェット記録装置。
【請求項７】
請求項６に記載のインクジェット記録装置において、
前記パネルユニットは下部が上部に対して前方に出た傾斜姿勢をとることが可能である
、
ことを特徴とするインクジェット記録装置。
【請求項８】
請求項１から請求項３のいずれか一項に記載のインクジェット記録装置において、
前記インクチューブを複数本備え、
前記複数本の前記インクチューブのうち少なくとも１本以上のインクチューブが、前記
装置の前部左側から該装置の外方に出て、残るインクチューブが、前記装置の前部右側か
ら該装置の外方に出る、
ことを特徴とするインクジェット記録装置。
【請求項９】
請求項４に記載のインクジェット記録装置において、
前記排出口は、前記被記録媒体の排出を妨げない位置に設けられたチューブ支持部材に
よって上下又は左右に仕切られており、
前記インクチューブの一部が前記チューブ支持部材に支持されて前記装置外方に出る、
ことを特徴とするインクジェット記録装置。
【請求項１０】
請求項９に記載のインクジェット記録装置において、
前記チューブ支持部材は、水平面に沿った面を成す板状の部材であり、
該チューブ支持部材により、前記排出口の上部に、前記チューブ配置領域が形成される
、
ことを特徴とするインクジェット記録装置。
【請求項１１】
請求項９に記載のインクジェット記録装置において、
前記チューブ支持部材は、垂直面に沿った面を成す板状の部材であり、
該チューブ支持部材により、前記排出口の左側又は右側に、前記チューブ配置領域が形
成される、
ことを特徴とするインクジェット記録装置。
【請求項１２】
請求項４に記載のインクジェット記録装置において、
前記インクチューブは、前記排出口を構成する側壁に支持されて前記装置外方に出る、
ことを特徴とするインクジェット記録装置。
【請求項１３】
請求項９から１２のいずれか１項に記載のインクジェット記録装置において、
前記インクチューブを複数本備え、
前記インクチューブは、複数本の前記インクチューブのうち少なくとも１本以上のイン
クチューブが、前記装置の前部左側から該装置の外方に出て、残るインクチューブが、前
記装置の前部右側から該装置の外方に出ることを特徴とするインクジェット記録装置。
【請求項１４】
請求項５から７のいずれか１項に記載のインクジェット記録装置において、
前記排出口の上縁が、前記パネルユニットの下端で構成される、
ことを特徴とするインクジェット記録装置。
【請求項１５】
インクを吐出する記録ヘッドを備え所定の方向に移動可能なヘッドユニットと、
前記ヘッドユニットに記録実行のためのデータ信号を送る、可撓性を有するデータ線と
、
インク収容部から送られるインクを前記記録ヘッドへと導き、前記ヘッドユニットの前
記移動に伴って追従変形する変形可動部を有するインクチューブと、
前記記録ヘッドにより記録が行われた被記録媒体が排出される領域を含む排出口と、を
備え、
前記排出口が設けられた側を装置の前方側としたとき、
前記データ線は、前記ヘッドユニットに対して後方側に配設され、
前記インクチューブは、前記ヘッドユニットに対して前方側に配設され、
前記排出口の内側に、記録が行われた被記録媒体を排出する排出手段を備え、
前記排出手段が、駆動ローラーと、当該駆動ローラーに接する従動ローラーと、を備え
て構成され、
前記インクチューブが、前記従動ローラーを支持する支持部材の上を通って装置外部に
出る、
ことを特徴とするインクジェット記録装置。
【請求項１６】
インクを吐出する記録ヘッドを備え所定の方向に移動可能なヘッドユニットと、
前記ヘッドユニットに記録実行のためのデータ信号を送る、可撓性を有するデータ線と
、
インク収容部から送られるインクを前記記録ヘッドへと導き、前記ヘッドユニットの前
記移動に伴って追従変形する変形可動部を有するインクチューブと、
前記記録ヘッドにより記録が行われた被記録媒体が排出される領域を含む排出口と、を
備え、
前記排出口が設けられた側を装置の前方側としたとき、
前記データ線は、前記ヘッドユニットに対して前方側に配設され、
前記インクチューブは、前記ヘッドユニットに対して前方側に配設され、
前記排出口の内側に、記録が行われた被記録媒体を排出する排出手段を備え、
前記排出手段が、駆動ローラーと、当該駆動ローラーに接する従動ローラーと、を備え
て構成され、
前記インクチューブが、前記従動ローラーを支持する支持部材の上を通って装置外部に
出る、
ことを特徴とするインクジェット記録装置。
【請求項１７】
請求項１から１６のいずれか１項に記載のインクジェット記録装置において、
前記インクチューブを複数本備えるとともに、当該複数本のインクチューブが結束手段
によって結束されている、
ことを特徴とするインクジェット記録装置。
【請求項１８】
請求項１から１７のいずれか１項に記載のインクジェット記録装置において、
前記装置の外観を構成するハウジングの外側に前記インク収容部を備えている、
ことを特徴とするインクジェット記録装置。